(57)【要約】【課題】従来の発光ダイオードの照射光を利用した光健康器具は、発光源が無偏光でありその効果は少なかったため、その効果を向上させた低反応レベル光健康器具を提供する。【解決手段】フレキシブルな基板と、その基板上に配設された複数の発光ダイオードとから構成される。発光ダイオードの放射面に直線偏光子あるいは右円偏光子を配設してもよい。【選択図】図１
2005066360.tif 000002
【特許請求の範囲】
【請求項１】
フレキシブルな基板と、その基板に支持されてなる複数の発光ダイオードの発光体とから構成されてなることを特徴とする低反応レベル光健康器具。
【請求項２】
フレキシブルな基板と、その基板に支持されてなる複数の発光ダイオードの発光体と、その放射面に配設された直線偏光子とから構成されてなることを特徴とする低反応レベル光健康器具。
【請求項３】
フレキシブルな基板と、その基板に支持されてなる複数の発光ダイオードの発光体と、その放射面に配設された右円偏光子とから構成されてなることを特徴とする低反応レベル光健康器具。
【請求項４】
発光体が半値幅の非常に狭い光を放射するものであることを特徴とする請求項1〜３のいずれか１項に記載の低反応レベル光健康器具。
【請求項５】
発光体の放射面に直線偏光子及びバンドパスフィルタを組み合わせて配設したことを特徴とする請求項１〜４のいずれか１項に記載の低反応レベル光健康器具。
【請求項６】
発光体の放射面に右円偏光子及びバンドパスフィルタを組み合わせて配設したことを特徴とする請求項１〜４のいずれか１項に記載の低反応レベル光健康器具。
【請求項７】
複数の発光体が平面状に配列されてなることを特徴とする請求項１〜６のいずれか１項に記載の低反応レベル光健康器具。
【請求項８】
発光体の放射波長帯が可視光線領域のものであることを特徴とする請求項１〜７のいずれか１項に記載の低反応レベル光健康器具。
【請求項９】
発光体から放射される放射光が、間歇的に放射されるものであることを特徴とする請求項１〜８のいずれか１項に記載の低反応レベル光健康器具。
【請求項１０】
直線偏光子がフレキシブルなものであることを特徴とする請求項２、４、５〜９のいずれか１項に記載の低反応レベル光健康器具。
【請求項１１】
右円偏光子がフレキシブルなものであることを特徴とする請求項３〜９のいずれか１項に記載の低反応レベル光健康器具。
【発明の詳細な説明】
【技術分野】
【０００１】
本発明は、直線偏光あるいは右偏光された発光ダイオードの発光体の照射光による低反応レベル光健康器具に関する。
【背景技術】
【０００２】
従来、発光ダイオードの照射光を利用した健康器具や治療装置（例えば特開平１０−３０９３２３号：光健康器具、特開平９−３８２２１号：光線治療装置、特開平１１−１９２３１５号：温熱治療器）が提案されている。
【特許文献１】特開平１０−３０９３２３号公報
【特許文献２】特開平９−３８２２１号公報
【特許文献３】特開平１１−１９２３１５号公報
【発明の開示】
【発明が解決しようとする課題】
【０００３】
しかしながら、いずれも発光源を無偏光の発光ダイオードとしてあるため、同様な治療効果を目的とした既存の低反応レベルレーザー治療器に比して、その効果は少なかった。そこで、本発明はその効果を向上させた低反応レベル光健康器具を提供する。
【課題を解決するための手段】
【０００４】
上記に鑑み本発明者は鋭意実験研究の結果、次の手段によりこの課題を解決した。
（１）フレキシブルな基板と、その基板に支持されてなる複数の発光ダイオードの発光体とから構成されてなることを特徴とする低反応レベル光健康器具。
（２）フレキシブルな基板と、その基板に支持されてなる複数の発光ダイオードの発光体と、その放射面に配設された直線偏光子とから構成されてなることを特徴とする低反応レベル光健康器具。
（３）フレキシブルな基板と、その基板に支持されてなる複数の発光ダイオードの発光体と、その放射面に配設された右円偏光子とから構成されてなることを特徴とする低反応レベル光健康器具。
（４）発光体が半値幅の非常に狭い光を放射するものであることを特徴とする前記（１）〜（３）のいずれか１項に記載の低反応レベル光健康器具。
（５）発光体の放射面に直線偏光子及びバンドパスフィルタを組み合わせて配設したことを特徴とする前記（１）〜（４）のいずれか１項に記載の低反応レベル光健康器具。
（６）発光体の放射面に右円偏光子及びバンドパスフィルタを組み合わせて配設したことを特徴とする前記（１）〜（４）のいずれか１項に記載の低反応レベル光健康器具。
（７）複数の発光体が平面状に配列されてなることを特徴とする前記（１）〜（６）のいずれか１項に記載の低反応レベル光健康器具。
（８）発光体の放射波長帯が可視光線領域のものであることを特徴とする前記（１）〜（７）のいずれか１項に記載の低反応レベル光健康器具。
（９）発光体から放射される放射光が、間歇的に放射されるものであることを特徴とする前記（１）〜（８）のいずれか１項に記載の低反応レベル光健康器具。
（１０）直線偏光子がフレキシブルなものであることを特徴とする前記（２）、（４）、（５）〜（９）のいずれか１項に記載の低反応レベル光健康器具。
（１１）右円偏光子がフレキシブルなものであることを特徴とする前記（３）〜（９）のいずれか１項に記載の低反応レベル光健康器具。
【発明の効果】
【０００５】
本発明によれば次のような優れた効果を発揮することができる。
１、本発明によれば、
特に複数の発光体がフレキシブルな基板に支持されてなるため生体のいずれの場所にも近接あるいは当接することができる。
さらに、複数の発光ダイオードの発光体と、その放射面に配設された直線偏光子あるいは右円偏光子とから構成されてなるため、従来の無偏光のダイオード光を用いた低反応レベル光健康器に比し、格段にその効果を向上させることができ、低反応レベルレーザ治療器に比肩できる効果を得ることができる。
２、そして、本発明によれば
発光体が半値幅の非常に狭い光を放射するものであるため、単色光に近い生体効果が期待できる。
３、また、本発明によれば、
発光体の放射面に直線偏光子及びバンドパスフィルタを組み合わせてなるため、より単色光に近い生体効果が期待できる。
４、さらに、本発明によれば、
発光体の放射面に右円偏光子及びバンドパスフィルタを組み合わせてなるため、より単色光に近い生体効果が期待できる。
５、また、本発明によれば、
複数の発光体が平面状に配列されてなるため、照射面積の拡大が容易である。
６、そして、本発明によれば、
発光体の放射波長帯が可視光線領域のものであるため生体効果がある略単色光を選択し適用できる。
７、本発明によれば、
発光体から放射される放射光が、間歇的に放射されるものであるため、任意の時分割の組み合わせを使用状態に合わせて選択することができ、健康器具の効果を向上させることができる。
８、本発明によれば、
複数の発光体がフレキシブルな基板に支持されてなるため生体のいずれの場所にも近接あるいは当接することができる。
９、本発明によれば、
直線偏光子あるいは右円偏光子がフレキシブルなものであるため発光体と一体として生体のいずれの場所にも近接あるいは当接することができる。
【発明を実施するための最良の形態】
【０００６】
光を利用した各種の治療では、レーザ治療が良く知られているが、本発明は、インコヒーレンスなＬＥＤにレーザの空間的なコヒーレンスな特性を付追し、低指向性はそのまま利用しているため低反応レベル光健康器具となる。
本発明者は先にレーザー治療において、細胞の生存域値内の可逆的な光生物学的活性化反応を応用した治療を、低反応レベルレーザー治療（Ｌｏｗ  ｒｅａｃ−ｔｉｖｅ  Ｌｅｖｅｌ  Ｌａｓｅｒ  Ｔｒｅａｔｍｅｎｔ：ＬＬＬＴ）と命名し、現在は国際的な慣用語となっているが、この概念は光熱反応以外の生体反応（光電磁反応・光圧反応・光化学反応等）にも用いることができるものである。また、上記レーザー光を使用した低反応レベルレーザー治療（ＬＬＬＴ）の効果としては、消炎効果、浮腫の除去、血行改善、除痛効果、膠原病の改善、皮膚潰瘍の改善、瘢痕の軟化・平坦化などの効果が知られている。
さらにレーザー光の場合その特性により安全管理が必要であり、取り扱いが制限され医師や医療機関に限定されることが多いが、ＬＥＤの場合は取り扱いが簡便である。
【０００７】
そして、発光ダイオードの発光による治療効果としても、同類の効果が得られるものとされているが、単なる発光ダイオードによる無偏光の光では、光の形態がレーザー光と異なるため前記低反応レベル光治療の効果は少なかった。
しかしながら、本発明者は、発光ダイオードの光路面に直線偏光子を配設し照射することによって前記低反応レベル光治療の効果が向上することを知見した。  前記直線偏光された光は、無偏光の光と異なり進行方向と同一平面内において振動するため、波形的には一方向に整列された横波となり、例えばブルースター窓をもつ外部鏡型レーザーの直線偏光された光に類似した作用を生体に及ぼすものと考えられる。
さらに、例えば直線偏光板の透過軸に対して４５゜をなす１／４波長板の中性軸ｘ，ｙのうちｙ方向を速い軸とした右円偏光板によって右円偏光された光も同様に、前記の低反応レベル光治療の効果を向上させることを知見した。
【０００８】
また、前記ＬＥＤの発光スペクトルから、半値幅の非常に狭い（好ましくは４％以下）光りを選出することにより、特定の波長を有する単色光に近づけることが可能になる。そして、その手段として，ＬＥＤの放射面に直線偏光子あるいは右円偏光子とパンドパスフィルタを組み合わせて配設する。
なお、前記偏光子とバンドパスフィルタの組み合わせ順序は、両者のいずれをＬＥＤの放射面側に近づけて配設してもよい。
上記によって、例えば波長域の異なる紫外光、可視光、赤外光は生体への浸達度がそれぞれ異なり、生体の各種の組成細胞の中の特定細胞に及ぼす作用が異なるため、前記治療効果事例に示したように、症状に適した単色光の選定を行うことにより総合的な治療効果を得ることもできる。
【０００９】
本治療器の形状としては、発光ダイオードのパワーを極力有効に使用でき、かつ、生体のいずれの箇所にも近接又は当接できるフレキシブルな面を有することが望ましい。本事例では複数の発光ダイオードをフレキシブルな基板に配設し、また偏光子もフレキシブルなフイルム状素材を使用している。
また、発光ダイオード単体で偏光子、バンドパスフィルター等光学素子を有しその複合体としてフレキシブルな面を構成してもよい。
以下、図面に基づいてその構造を説明する。
【００１０】
図１は、本発明の低反応レベル光健康器具の基本形を示す説明図である。
図１の（イ）は平面図、（ロ）、（ハ）は（イ）図のＸ−Ｘ′断面図である。
図において、１は発光ダイオード、２はフレキシブル基板、３ａはフレキシブル直線偏光子、３ｂはフレキシブル右円偏光子、４は接続コード、５は電源、６は照射方向を示す。
（イ）図及び（ロ）図に示したように複数の発光ダイオード１はフレキシブル基板２の内部に配列され、直線偏光子３ａを通って直線偏光された光は照射方向６のように照射される。
発光ダイオード１は可視光領域で半値幅の非常に狭い光を放射する。
また、フレキシブル基板２は合成樹脂製としたが、布、繊維、等でもよい。
そして、フレキシブル直線偏光子３ａは、２色性物質としてヨウ素化合物をポリビニルアルコールフイルムに吸着させた後、このフイルムを一軸延伸させて二色性物質を配向させ、その直線偏光子３ａの両側を光学的等方性フイルムでラミネートして機械的強度を付与し、前記フレキシブル基板２に粘着剤により貼付している。
また、上記フレキシブル直線偏光子３ａには、蒸着薄膜による干渉効果を利用した偏光ビームスプリッタ等を使用してもよい。
また、図１の（ハ）図は、上記（ロ）図の直線偏光子３ａを、右円偏光子３ｂとし、右円偏光された光の照射を示す図である。
なお、図１では平板状の形態としたが、フレキシブルであるため、例えば曲面を有する形状にもなり、また面の大きさ、発光ダイオードの数や配列法も自在であって、患部治療に適した形状にすることができる。
【００１１】
図２は、発光体の放射面と直線偏光子との間にバンドパスフィルタを介在させた断面図である。 図において７はバンドパスフィルタを示す。
放射光は略単色光とする。
図３は、発光体の放射面に偏光子とバンドパスフィルタのブロック群を介在させた図で、図３の（イ）は平面図、（ロ）は、（イ）図のＸ−Ｘ′断面図、（ハ）図はＬＥＤと偏光子とバンドパスフィルタとフレキシブル素材とを一体にして成型した１ケのブロックを示す図である。
図において、８はブロック、９はフレキシブル素材を示す。
そして、図示したように、前記ブロック８は前記フレキシブル基板２の中に配列されている。
図４は本発明の低反応レベル光健康器具のブロック図である。
図において、前記複数の発光ダイオード１への電力の供給は接続コード４によって電源５から行われている。
そして、発光用には、低電圧低電流の直流、あるいは間歇的な波形としてもよい。前記間歇波形は任意の時分割の組み合わせを使用状態に合わせて選択することができる。
また、電源は商用電源あるいは電池から供給してもよい。
【図面の簡単な説明】
【００１２】
【図１】本発明の低反応レベル光健康器具の基本形を示す説明図。
【図２】発光体の放射面と直線偏光子又は右円偏光子との間にバンドパスフィルタを介在させた断面図。
【図３】発光体の放射面に偏光子とバンドパスフィルタのブロック群を介在させた図。
【図４】本発明の低反応レベル光健康器具のブロック図。
【符号の説明】
【００１３】
１：発光ダイオード
２：フレキシブル基板
３ａ：フレキシブル直線偏光子
３ｂ：フレキシブル右円偏光子
４：接続コード
５：電源
６：照射方向
７：バンドパスフィルタ
８：偏光子とバンドパスフィルタとを一体にしたブロック
９：フレキシブル素材
【図１】
2005066360.tif 000003
【図２】
2005066360.tif 000004
【図３】
2005066360.tif 000005
【図４】
2005066360.tif 000006